(57)【要約】【課題】足場の妻側端部に上段側足場の先行手摺として取り付ける安全手摺であって、取付けが容易で、構造的にも頑丈な安全手摺を提供する。【解決手段】足場用建枠７の両縦材８，８の間隔より狭い間隔で対向配置される左右一対の縦桟２，２、両縦桟２，２の上端部をつなぐ横桟３及び両縦桟２，２の中間部をつなぐ中桟４からなる手摺本体６を有し、手摺本体６の両縦桟２，２には足場用建枠７の横材９両端部に掛止されるフック１１を設け、両縦桟２，２の下端部には足場用建枠７の両縦材８，８に係嵌されて固定される固定金具１２を設け、フック１１取付位置の上側には足場板の妻側端部から工具等が落下するのを防止する幅木５を両縦桟２，２に亘って取り付ける。【選択図】図８
2006112149.tif 000002
【特許請求の範囲】
【請求項１】
左右一対の縦材と両縦材の上端部をつなぐ横材とからなる足場用建枠を対向させて両建枠の横材間に足場板を架け渡して組み立てられる足場の組立にあたり、足場の妻側端部に上段側足場の先行手摺として取り付ける安全手摺であって、
足場用建枠の両縦材の間隔より狭い間隔で対向配置される左右一対の縦桟、両縦桟の上端部をつなぐ横桟及び両縦桟の中間部をつなぐ中桟からなる手摺本体を有し、
手摺本体の両縦桟にはその中間所要部に足場用建枠の横材両端部に掛止されるフックを設け、両縦桟の下端部には足場用建枠の両縦材に係嵌されて固定される固定金具を設け、フック取付位置の上側には足場の妻側端部から工具等が落下するのを防止する幅木を両縦桟に亘って取り付けてなる安全手摺。
【請求項２】
前記固定金具は、コ字状枠片と、コ字状枠片に係嵌された縦材を圧接するロックネジとからなる請求項１に記載の安全手摺。
【請求項３】
前記手摺本体には、両縦桟の下端部側をつなぐ補強桟を設けてなる請求項１又は２に記載の安全手摺。
【発明の詳細な説明】
【技術分野】
【０００１】
本発明は、建設作業現場において、左右一対の縦材と両縦材の上端部をつなぐ横材とからなる足場用建枠を対向させて両建枠の横材間に足場板を架け渡して組み立てられる足場の組立にあたり、足場の妻側端部において、新設する上段側足場の先行手摺として取り付ける安全手摺に関する。
【背景技術】
【０００２】
足場の組立にあたり上段側足場板の先行手摺として足場の桁側、つまり足場板の長手方向に沿った足場の側面側に設置される安全手摺は、従来より知られているが、足場の妻側端部において、新設する上段側足場板の先行手摺として取り付ける安全手摺は今だ採用されていない。従来、足場の妻側端部には、足場用建枠の両縦材に棒材を水平に掛け渡して鉄線等で縛るようにしていたが、取付けに手間がかかる上に、非常に不安定であった。
【発明の開示】
【発明が解決しようとする課題】
【０００３】
本発明は、足場の妻側端部において上段側足場の先行手摺として取り付ける安全手摺であって、短時間で簡単容易に取り付ける出来る、構造的にも頑丈な安全手摺を提供することを目的とする。
【課題を解決するための手段】
【０００４】
請求項１に係る発明は、左右一対の縦材８，８と両縦材８，８の上端部をつなぐ横材９とからなる足場用建枠７を対向させて両建枠７，７の横材９，９間に足場板１７を架け渡して組み立てられる足場の組立にあたり、足場の妻側端部に上段側足場の先行手摺として取り付ける安全手摺であって、足場用建枠７の両縦材８，８の間隔より狭い間隔で対向配置される左右一対の縦桟２，２、両縦桟２，２の上端部をつなぐ横桟３及び両縦桟２，２の中間部をつなぐ中桟４からなる手摺本体６を有し、手摺本体６の両縦桟２，２にはその中間所要部に足場用建枠７の横材９両端部に掛止されるフック１１を設け、両縦桟２，２の下端部には足場用建枠７の両縦材８，８に係嵌されて固定される固定金具１２を設け、フック１１取付位置の上側には足場板の妻側端部から工具等が落下するのを防止する幅木５を両縦桟２，２に亘って取り付けてなることを特徴とする。
【０００５】
請求項２は、請求項１に記載の安全手摺において、前記固定金具１２は、コ字状枠片１３と、コ字状枠片１３に係嵌された足場用建枠７の縦材８を圧接するロックネジ１５とからなることを特徴とする。
【０００６】
請求項３は、請求項１又は２に記載の安全手摺において、前記手摺本体６には、両縦桟２，２の下端部側をつなぐ補強桟５を設けてなることを特徴とする。
【発明の効果】
【０００７】
請求項１に係る安全手摺によれば、足場用建枠７の両縦材８，８の間隔より狭い間隔で対向配置される左右一対の縦桟２，２、両縦桟２，２の上端部をつなぐ横桟３及び両縦桟２，２の中間部をつなぐ中桟４からなる手摺本体６を有し、手摺本体６の両縦桟２，２にはその中間所要部に足場用建枠７の横材９両端部に掛止されるフック１１を設け、両縦桟２，２の下端部には足場用建枠７の両縦材８，８に係嵌されて固定される固定金具１２を設けてなるもので、作業者が足場の内側にて安全手摺１を両手で持ち上げながら、フック１１を足場用建枠７の横材９に足場の外側から掛止させて、横材９に荷重を預けた状態でフック１１を支点として手摺本体６を下向きに回転させながら直立状態にした後、固定金具１２を足場用建枠７の縦材８に外側から係嵌させるようにすることよって、作業者は、安全手摺１を足場の内側から一人で簡単容易にして且つ安全に取り付けることができる。また、この安全手摺１は、構造的に頑丈で安定した取付けができると共に、部材点数が少なく、構造が簡単であるから、製作が容易で、きわめて安価に提供することができる。
【０００８】
また、手摺本体６にはフック１１取付位置の上側に幅木５を両縦桟２，２に亘って取り付けているから、足場板１７の妻側端部から工具等が落下するのを防止することができる。
【０００９】
請求項２に記載のように、固定金具１２が、コ字状枠片１３と、これに係嵌されて足場用建枠７の縦材８を圧接するロックネジ１５とからなるものによれば、固定金具１２の構造がきわめて簡単で製作が容易であるから、コストを安くできる。
【００１０】
請求項３に記載のように、手摺本体６に両縦桟２，２の下端部側をつなぐ補強桟１８を設けることにより、手摺本体６が一層頑強で安定した構造となり、耐用性が向上する。
【発明を実施するための最良の形態】
【００１１】
図１の(a) は本発明に係る安全手摺１の正面図、(b) は平面図、(c) は側面図であり、図２の(a) は図１の(a) の矢印イで示す部分の拡大正面図、(b) は同部分の拡大平面図、(c) は同部分の拡大背面図、(d) は(a) の左側面図であり、図３の(a) は図１の(a) の矢印ロで示す部分の拡大正面図、(b) は同部分の拡大平面図であり、図４の(a) は幅木５の全体を示す正面図、(b) はその平面図である。また図５〜図９は安全手摺１の取付方法を説明する説明図である。足場用建枠７は、図５に示すように、左右一対の縦材８，８と、両縦材８，８の上端部をつなぐ横材９と、縦材８と横材９との間の補強材１０とによって門形に形成されている。安全手摺１は、図１に示すように、足場用建枠７の両縦材の間隔より狭い間隔で対向配置される左右一対の縦桟２，２と、両縦桟２，２の上端部をつなぐ横桟３と、この横桟３に近い位置で両縦桟２，２の中間部をつなぐ中桟４と、両縦桟２，２の下端部をつなぐ補強桟１８とからなる手摺本体６を有する。
【００１２】
手摺本体６の両縦桟２，２にはその中間所要部、即ち縦桟２の長さの中心位置より下方寄りの位置に、足場の外側から足場用建枠７の横桟３の両端部に掛止されるフック１１が設けられ、両縦桟２，２の下端部には足場の外側から足場用建枠７の両縦材８，８に夫々係嵌されて固定される固定金具１２が設けられ、そしてフック１１取付位置の上側には、足場用建枠７，７間に架け渡される足場板１７（図７〜図９参照）の妻側端部から工具、資材等が落下するのを防止するための幅木５が手摺本体６の両縦桟２，２に亘って取り付けられている。
【００１３】
フック１１はＬ字形の金物で、手摺本体６の縦桟２に溶接により取り付けられている。固定金具１２は、図２の(a) 〜(d) から分かるように、取付部材１４を介して手摺本体６の縦桟２に取り付けられたコ字状枠片１３と、コ字状枠片１３の開口端部に螺装されていて、コ字状枠片１３内に係嵌された足場用建枠７の縦材８を図２の(b) に示すように圧接するロックネジ１５とからなる。取付部材１４は手摺本体６の縦桟２に対し溶接によって取り付けられ、コ字状枠片１３は取付部材１４に対し溶接によって取り付けられる。
【００１４】
幅木５は、図３の(a) ，(b) 及び図４の(a) ，(b) から分かるように、上側端部を外側へ直角に折り曲げて折曲縁部５ａを形成し、この折曲縁部５ａの両端部を切欠して切欠部５ｂ，５ｂを形成したものである。幅木５の取付けにあたっては、図３の(a) に示すように、この幅木５を、手摺本体６の両縦桟２，２に取り付けてあるフック１１，１１の上に載せると共に、上端折曲縁部５ａを両縦桟２，２の間に突入させて両端切欠部５ｂ，５ｂを縦桟２，２に係合させた状態で、この幅木５を両縦桟２，２に対し溶接することによって取り付けている。このように取り付けることによって、幅木５を手摺本体６の両縦桟２，２に体裁良く且つ安定状態に取り付けることができる。また、上側端部を外側へ直角に折り曲げて折曲縁部５ａを形成しているから、使用時に、幅木５の上端に振れて手足を怪我するようなことがない。
【００１５】
上記のように構成される安全手摺１の取付方法について説明すると、先ず、図５に示すように、地上に一対の足場用建枠７，７を対向配置して、両足場用建枠７，７の対向する縦材８，８杆にブレス１６を掛張しながら、一段目の足場を組み立て、そしてこの一段目の足場の妻側端部となる足場用建枠７に安全手摺１を取り付ける。
【００１６】
この安全手摺１の取付けにあたっては、図６に示すように、足場の内側にいる作業者が安全手摺１を両手で持ち上げながら、フック１１，１１を足場用建枠７の横材９に外側から掛止させて、この横材９に荷重を預けた状態とする。この時、作業者の片方の手は図示のように手摺本体６の補強桟５を保持する。こうして足場用建枠７の横材９にフック１１を掛止した状態で、このフック１１を支点として手摺本体６を図６の矢印方向に下向きに回転させながら直立状態にした後、手摺本体６の両縦桟２，２の下端部にある固定金具１２，１２のコ字状枠片１３，１３を足場用建枠７の縦材８，８に外側から係嵌させ、図２の(b) に示すような状態からロックネジ１５を回し、縦材８を圧接して固定し、これにより一段目足場の妻側端部となる足場用建枠７に安全手摺１を取り付ける。この取付状態を図５及び図７に示す。
【００１７】
こうして一段目の足場の妻側端部となる足場用建枠７に安全手摺１を取付けたならば、対向する足場用建枠７，７の対向する横材９，９間に足場板１７を架け渡す。図７の(b)
には架け渡した足場板１７を仮想線で示す。図７の(a) 及び(b) から分かるように、一段目の足場用建枠７に安全手摺１を取り付けた状態において、安全手摺１の高さの約２／３が足場作業床レベル（足場板１７の上面位置）から上方へ突出し、残りの１／３が足場作業床レベルより下方に位置し、また幅木５は、その下端位置が略々足場作業床レベルにある。
【００１８】
上記のようにした架け渡した足場板１７の上に作業者が乗って、一段目の足場用建枠７に二段目の足場用建枠７を継ぎ足し、図８に示すような状態とする。この二段目の足場用建枠７の継ぎ足し作業時には、この図８に示すように一段目の足場の妻側端部に安全手摺１が先行して取り付けられているため、作業者は、この安全手摺１によって継ぎ足し作業を安全に行うことができる。
【００１９】
以降は、図５〜図８によって説明した上記のような作業を繰り返し行い、足場の妻側端部において、新設する上段側足場の先行手摺として安全手摺１を取り付けてゆく。図９は上記のようにして順次新設する上段側足場の先行手摺として安全手摺１を取り付けた状態を示したものである。この場合、安全手摺１は、各段の足場用建枠７にそのまま付け置きするのが好ましいが、先行手摺としての役割を果たした後、その安全手摺１を取り外して、次の上段側足場の先行手摺として取り付けるようにしてもよい。しかし、そのまま付け置きすれば、図９から分かるように下段側の安全手摺１は、足場妻側端部の開口部からの落下防止機能（開口部手摺）を有することになる。
【００２０】
以上の説明は、足場の妻側端部において新設する上段側足場の先行手摺としての安全手摺１の取付方法についてのみ説明したが、足場の桁側、つまり足場板の長手方向に沿った足場の側面側に設置される安全手摺は、図示は省略するが、従来知られた方法によって取り付けられるようになっている。
【００２１】
以上説明した本発明の安全手摺１は、足場用建枠７の両縦材８，８の間隔より狭い間隔で配置される左右一対の縦桟２，２、両縦桟２，２の上端部をつなぐ横桟３及び両縦桟２，２の中間部をつなぐ中桟４からなる手摺本体６を有し、この手摺本体６の両縦桟２，２には足場用建枠７の横材９両端部に掛止されるフック１１を設け、両縦桟２，２の下端部には足場用建枠７の両縦桟２，２に係嵌されて固定される固定金具１２を設けてなるもので、作業者が足場の内側で安全手摺１を両手で持ち上げながら、フック１１，１１を足場用建枠７の横材９に足場の外側から掛止させて、この横材９に荷重を預けた状態で、フック１１を支点として手摺本体６を下向きに回転させながら直立状態にした後、固定金具１２，１２のコ字状枠片１３，１３を足場用建枠７の縦材８，８に外側から係嵌させ、ロックネジ１５を回して縦材８を固定すればよいから、作業者は、安全手摺１を一人で足場の内側から簡単容易に且つ安全に取り付けることがでる。
【００２２】
そして、この安全手摺１の手摺本体６には、フック１１取付位置の上側に幅木５が両縦桟２，２に亘って取り付けられているから、作業中に工具や資材等が足場板１７の妻側端部から落下するのを防止し、作業の安全を図ることができる。また、この安全手摺１は、構造的に頑丈で安定した取付けができると共に、部材点数が少なく、構造がきわめて簡単であるから、製作が容易で、きわめて安価に提供することができる。
【００２３】
またこの実施形態では、固定金具１２として、コ字状枠片１３と、コ字状枠片１３に係嵌された足場用建枠７の縦材８を圧接するロックネジ１５とからなるものを使用したが、この固定金具としては、一般に使用されるコ型クランプやパイプクランプ等を使用してもよい。但し、この実施形態のような構成の固定金具１２によれば、構造がきわめて簡単で製作が容易であるから、コストを安くすることができる。
【００２４】
またこの実施形態では、手摺本体６の両縦桟２，２の下端部をつなぐ補強桟１８を設けているから、手摺本体６が頑強で安定した構造となり、耐用性が向上する。
【図面の簡単な説明】
【００２５】
【図１】(a) は本発明に係る安全手摺の一実施形態の正面図、(b) は平面図、(c) は側面図である。
【図２】(a) は図１の(a) の矢印イで示す部分の拡大正面図、(b) は同部分の拡大平面図、(c) は同部分の拡大背面図、(d) は(a) の左側面図である。
【図３】(a) は図１の(a) の矢印ロで示す部分の拡大正面図、(b) は同部分の拡大平面図である。
【図４】(a) は幅木の全体を示す正面図、(b) はその平面図である。
【図５】一段目の足場用建枠に安全手摺を取り付けた状態を示す斜視図である。
【図６】安全手摺のフックを足場用建枠の横材に掛止する要領を説明する斜視図である。
【図７】(a) は一段目の足場用建枠に安全手摺を取り付けた状態を示す正面図、(b)は側面図である。
【図８】一段目の足場用建枠に二段目の足場用建枠を継ぎ足した状態を示す斜視図である。
【図９】順次新設する上段側足場の先行手摺として安全手摺を取り付けた状態を示す正面図、(b) は側面図である。
【符号の説明】
【００２６】
１              安全手摺
２              縦桟
３              横桟
４              中桟
５              幅木
６              手摺本体
７              足場用建枠
８              縦材
９              横材
１１            フック
１２            固定金具
１３            コ字状枠片
１５            ロックネジ
１８            補強桟
【図１】
2006112149.tif 000003
【図２】
2006112149.tif 000004
【図３】
2006112149.tif 000005
【図４】
2006112149.tif 000006
【図５】
2006112149.tif 000007
【図６】
2006112149.tif 000008
【図７】
2006112149.tif 000009
【図８】
2006112149.tif 000010
【図９】
2006112149.tif 000011